【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】  住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される施工写真情報記憶手段と、
利用者が希望する構成部材の形状、材質、及び寸法等の各構成要素を含む希望構成情報が通信ネットワークを介して入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出して前記通信ネットワークに出力する施工写真抽出手段と
を有する施工写真管理用コンピュータを備え、
前記施工写真抽出手段は、前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して前記通信ネットワークに出力する
ことを特徴とする施工写真確認システム。
【請求項２】  前記構成部材群の図形情報を含む前記部材情報が部材情報データベースとして記憶される部材情報記憶手段と、
前記通信ネットワークを介して前記希望構成情報が入力された際に、前記部材情報データベースに記憶された前記図形情報から前記希望構成情報に対する図形を読出し、前記構成部材群の設計図面を作成して前記通信ネットワークに出力する設計図面作成手段と
をさらに備えていることを特徴とする請求項１に記載の施工写真確認システム。
【請求項３】  前記部材情報データベースには、前記構成部材群の価格情報が格納され、
前記通信ネットワークを介して前記希望構成情報が入力された際に、前記部材情報データベースに記憶された前記価格情報から前記希望構成情報に対する価格を算出し、前記構成部材群の見積書を作成して前記通信ネットワークに出力する見積書作成手段をさらに備えていることを特徴とする請求項２に記載の施工写真確認システム。
【請求項４】  住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される第二施工写真情報記憶手段と、
利用者が希望する構成部材の形状、材質、及び寸法等の各構成要素を含む希望構成情報を入力するための構成情報入力手段と、
前記希望構成情報が入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出する第二施工写真抽出手段と、
該第二施工写真抽出手段より抽出された前記施工写真の画像データを、表示装置に表示する表示制御手段と
を有する第二施工写真管理用コンピュータを備え、
前記第二施工写真抽出手段は、前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して表示させる
ことを特徴とする施工写真確認システム。
【請求項５】  住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される施工写真情報記憶手段、
利用者が希望する構成部材の形状、材質、及び寸法等の各構成要素を含む希望構成情報が通信ネットワークを介して入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出して前記通信ネットワークに出力する施工写真抽出手段
として施工写真管理用コンピュータを機能させ、
前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して前記通信ネットワークに出力する
ことを特徴とする施工写真確認プログラム。
【請求項６】  住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される第二施工写真情報記憶手段、
利用者が希望する構成部材の形状、材質、及び寸法等の各構成要素を含む希望構成情報を入力するための構成情報入力手段、
前記希望構成情報が入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出する第二施工写真抽出手段、
該第二施工写真抽出手段より抽出された前記施工写真の画像データを、表示装置に表示する表示制御手段
として第二施工写真管理用コンピュータを機能させ、
前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して表示させる
ことを特徴とする施工写真確認プログラム。
【手続補正２】
【補正対象書類名】明細書
【補正対象項目名】００１０
【補正方法】変更
【補正の内容】
【００１０】
【課題を解決するための手段】
請求項１の発明にかかる施工写真確認システムは、「住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される施工写真情報記憶手段と、
利用者が希望する構成部材の形状、材質、及び寸法等の各構成要素を含む希望構成情報が通信ネットワークを介して入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出して前記通信ネットワークに出力する施工写真抽出手段と
を有する施工写真管理用コンピュータを備え、
前記施工写真抽出手段は、前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して前記通信ネットワークに出力する」ものである。
【手続補正３】
【補正対象書類名】明細書
【補正対象項目名】００１９
【補正方法】変更
【補正の内容】
【００１９】
請求項４の発明にかかる施工写真確認システムは、「住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される第二施工写真情報記憶手段と、
利用者が希望する構成部材の形状、材質、及び寸法等の各構成要素を含む希望構成情報を入力するための構成情報入力手段と、
前記希望構成情報が入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出する第二施工写真抽出手段と、
該第二施工写真抽出手段より抽出された前記施工写真の画像データを、表示装置に表示する表示制御手段と
を有する第二施工写真管理用コンピュータを備え、
前記第二施工写真抽出手段は、前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して表示させる」ものである。
【手続補正４】
【補正対象書類名】明細書
【補正対象項目名】００２２
【補正方法】変更
【補正の内容】
【００２２】
請求項５の発明にかかる施工写真確認プログラムは、「住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される施工写真情報記憶手段、
利用者が希望する構成部材の形状、材質、及び寸法等の各構成要素を含む希望構成情報が通信ネットワークを介して入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出して前記通信ネットワークに出力する施工写真抽出手段
として施工写真管理用コンピュータを機能させ、
前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して前記通信ネットワークに出力する」ものである。
【手続補正５】
【補正対象書類名】明細書
【補正対象項目名】００２４
【補正方法】変更
【補正の内容】
【００２４】
請求項６の発明にかかる施工写真確認プログラムは、「住宅の構成部材群を、形状、材質、及び寸法等の各構成要素ごとに区別した部材情報が、該構成部材群の施工写真の画像データに関連付けて記憶され、該施工写真の画像データとともに施工写真データベースとして記憶される第二施工写真情報記憶手段、
利用者が希望する構成部材の形状、材質、及び寸法等の各構成要素を含む希望構成情報を入力するための構成情報入力手段、
前記希望構成情報が入力された際に、前記希望構成情報及び前記施工写真データベースに記憶された前記部材情報を比較し、前記希望構成情報に一致する前記各構成要素を最も多く含んでいる施工写真の画像データを、前記施工写真データベースから抽出する第二施工写真抽出手段、
該第二施工写真抽出手段より抽出された前記施工写真の画像データを、表示装置に表示する表示制御手段
として第二施工写真管理用コンピュータを機能させ、
前記希望構成情報の中に、前記施工写真データベースから抽出した前記画像データに関連する前記部材情報と一致しない構成要素が含まれている場合、該構成要素に関して一致しない旨の内容を示す注意事項を前記画像データに追加して表示させる」ものである。